(57)【要約】【課題】  特定のフォーマットの再生のみに対応している再生装置において、複数のフォーマットによるデータが記録された記録媒体を再生した場合、未対応のフォーマットのデータ内容に関しては、ユーザは認識することができないという問題があった。【解決手段】  記録媒体にデータを記録するデータ記録方法において、前記データは少なくとも第1のデータ群及び第2のデータ群を有し、これら第1及び第2のデータ群は夫々異なる記録フォーマットで記録媒体上に記録されるように構成し、前記第１のデータ群の記録内容は、前記記録媒体上での前記第２のデータ群の存在が認識できるもの、あるいは前記第２のデータ群の記録内容を類推できるようなものとする。また前記第1のデータ群内にフラグ、あるいは所定のファイルを追加し、これを用いて前記第２のデータ群の存在を判別できるように構成する。【選択図】  図１
2007059011.tif 000002
【特許請求の範囲】
【請求項１】
記録媒体にデータを記録するデータ記録方法であって、
前記データは少なくとも第1のデータ群及び第2のデータ群を有し、該第1のデータ群は第1の記録フォーマットに則って前記記録媒体上に記録され、前記第2のデータ群は前記第1の記録フォーマットとは異なる第2の記録フォーマットに則って前記記録媒体上に記録されるように構成し、
前記第１のデータ群の記録内容は、前記記録媒体上での前記第２のデータ群の存在が認識できるもの、あるいは前記第２のデータ群の記録内容を類推できるようなもの、であることを特徴とするデータ記録方法。
【請求項２】
請求項１に記載のデータ記録方法において、
前記第１のデータ群は少なくとも映像データを含むものであって、
該映像データの表示内容は、前記第２のデータ群の存在をユーザに示すものであることを特徴とするデータ記録方法。
【請求項３】
請求項１に記載のデータ記録方法において、
前記第１のデータ群の記録内容は、前記第２のデータ群の記録内容のダイジェストで構成されるものであって、
前記第１のデータ群は前記ダイジェストのメニュー情報を含むものであることを特徴とするデータ記録方法。
【請求項４】
請求項２あるいは請求項３に記載のデータ記録方法において、
前記第１のデータ群は、前記第１の記録フォーマットにおける管理情報内に、所定のフラグを設定するように構成したことを特徴とするデータ記録方法。
【請求項５】
請求項２あるいは請求項３に記載のデータ記録方法において、
前記第１のデータ群は、前記第１の記録フォーマットには規定されない所定のファイルを含むことを特徴とするデータ記録方法。
【請求項６】
請求項１から請求項５のいずれかに記載のデータ記録方法を用いてデータを記録したことを特徴とする記録媒体。
【請求項７】
請求項６に記載の記録媒体において、
前記記録媒体はディスク状の形態を成すものであって、
前記第１のデータ群の記録領域と、前記第２のデータ群の記録領域を、該記録媒体上で夫々固定領域として確保することを特徴とする記録媒体。
【請求項８】
記録媒体からデータを再生する再生装置において、
前記記録媒体上のデータは少なくとも第1のデータ群及び第2のデータ群を有し、該第1のデータ群は第1の記録フォーマットに則って前記記録媒体上に記録され、前記第2のデータ群は前記第1の記録フォーマットとは異なる第2の記録フォーマットに則って前記記録媒体上に記録されているものであって、
前記第１のデータ群は、前記第１の記録フォーマットにおける管理情報内に、所定のフラグが設定されているものであり、
前記第１のデータ群を再生する際に、前記所定のフラグを設定されているのを検出した場合には、前記第２のデータ群を再生するように動作することを特徴とする再生装置。
【請求項９】
記録媒体からデータを再生する再生装置において、
前記記録媒体上のデータは少なくとも第1のデータ群及び第2のデータ群を有し、該第1のデータ群は第1の記録フォーマットに則って前記記録媒体上に記録され、前記第2のデータ群は前記第1の記録フォーマットとは異なる第2の記録フォーマットに則って前記記録媒体上に記録されているものであって、
前記第１のデータ群は、前記第１の記録フォーマットには規定されない所定のファイルを含むものであり、
前記第１のデータ群を再生する際に、前記所定のファイルの存在を検出した場合には、前記第２のデータ群を再生するように動作することを特徴とする再生装置。
【請求項１０】
記録媒体にデータを記録する記録再生装置であって、
前記データは少なくとも第1のデータ群及び第2のデータ群を有し、該第1のデータ群は第1の記録フォーマットに則って前記記録媒体上に記録し、前記第2のデータ群は前記第1の記録フォーマットとは異なる第2の記録フォーマットに則って前記記録媒体上に記録するものであって、
前記第１のデータ群の記録内容は、前記記録媒体上での前記第２のデータ群の存在が認識できるもの、あるいは前記第２のデータ群の記録内容を類推できるようなもの、として記録することを特徴とする記録再生装置。
【請求項１１】
請求項１０に記載の記録再生装置であって、
前記記録媒体はディスク状の形態を成すものであり、
前記第１のデータ群の記録領域と、前記第２のデータ群の記録領域を、該記録媒体上で夫々固定領域として記録することを特徴とする記録再生装置。
【請求項１２】
請求項１０及び請求項１１に記載の記録再生装置であって、
前記第１のデータ群及び第２のデータ群は、少なくとも映像データの符号化データからなるものであり、
前記第１のデータ群及び第２のデータ群の符号化手段と、前記第１のデータ群及び第２のデータ群の復号手段を備えることを特徴とする記録再生装置。
【請求項１３】
請求項１に記載のデータ記録方法であって、
前記第１の記録フォーマットはＤＶＤビデオフォーマットであり、前記第２の記録フォーマットは前記ＤＶＤビデオフォーマットの解像度よりも高解像度の映像データに対応したフォーマットであることを特徴とする記録再生装置。
【発明の詳細な説明】
【技術分野】
【０００１】
本発明は、記録媒体にデータを記録するデータ記録方法、それらの方法を用いてデータを記録した記録媒体、それらの記録媒体からデータを再生する再生装置、及び記録媒体への記録を行う記録再生装置に関するものである。
【背景技術】
【０００２】
同一の光ディスク上において、複数のフォーマットによる記録データを管理する技術が提案されている（例えば、特許文献1参照）。
【０００３】
【特許文献１】特開２００２−１９０１８１
【発明の開示】
【発明が解決しようとする課題】
【０００４】
ところで、ＤＶＤに代表される光ディスクを記録媒体に用いた、プレーヤやレコーダといったＡＶ機器が急速に普及している。これらのプレーヤやレコーダで用いられるＤＶＤでは、ＡＶデータは高能率符号化技術によりデータ圧縮され、その管理情報と共に所定のフォーマットに則った形でディスク上に記録されており、これらのデータを扱うためのファイルシステムも規定されている。
【０００５】
またＤＶＤの世界だけでも、ＤＶＤビデオフォーマットや、ＤＶＤビデオレコーディングフォーマット、ＤＶＤオーディオフォーマットなどと言うように、複数のデータフォーマットが存在し、扱うデータの属性も規定されている。例えばＤＶＤビデオフォーマットでは、映像データとして水平７２０画素×垂直４８０ライン（ＮＴＳＣの場合）、あるいは水平７２０画素×垂直５７６ライン（ＰＡＬの場合）、という解像度（以降、これらをＳＤコンテンツと呼ぶ）までを取り扱うことができる。
【０００６】
一方現状のＤＶＤよりも容量が大きい次世代の光ディスクが考慮された場合、例えば水平１９２０画素×垂直１０８０ラインといった、さらに高解像度の映像データ（以降、これらをＨＤコンテンツと呼ぶ）までを取り扱うことが考えられ、これに合わせてファイルシステムもＤＶＤとは異なったものになることも考えられる。
上記特許文献１では、異なるフォーマットの記録データを同一の記録媒体に記録し、統括的な管理情報を用いて全体を管理するという技術に関して記載されている。しかし夫々のフォーマットによる記録データは別個に記録されるものであり、記録内容として相互の関連性はない。また前述のような、ファイルシステムまで異なるような複数のフォーマットによるデータが同一の記録媒体に記録される場合に、その構造をどのようにするかということについては特に考慮されていなかった。例えば特定のフォーマットの再生のみに対応している再生装置において、前記複数のフォーマットによるデータが記録された記録媒体を再生した場合、未対応のフォーマットのデータ内容に関しては、ユーザは認識することができないという問題があった。
本発明は係る点に鑑みてなされたものであって、その目的は複数のフォーマットによるデータを同一の記録媒体に記録する方法において、データ相互の関連性まで考慮したデータ記録方法を提供することにある。また、例えばファイルシステムまで異なるような複数のフォーマットによるデータが同一の記録媒体に記録される場合を考慮し、データ記録方法及びこれらの方法を用いた記録媒体、さらにこれらの記録媒体の再生装置、記録再生装置を提供する。
【課題を解決するための手段】
【０００７】
上記目的を達成するために本発明では、記録媒体にデータを記録するデータ記録方法において、前記データは少なくとも第1のデータ群及び第2のデータ群を有し、これら第1及び第2のデータ群は夫々異なる記録フォーマットで記録媒体上に記録されるように構成し、前記第１のデータ群の記録内容は、前記記録媒体上での前記第２のデータ群の存在が認識できるもの、あるいは前記第２のデータ群の記録内容を類推できるようなものとする。
また、本発明によるデータ記録方法では、前記第1のデータ群内にフラグ、あるいは所定のファイルを追加し、これを用いて前記第２のデータ群の存在を判別できるように構成する。
また、本発明による記録方法では、前記第１のデータ群と、前記第２のデータ群の記録領域を、ディスク上で別個に固定領域として確保するように構成する。
また、本発明による再生装置及び記録再生装置では、初期判定で前記第1のデータ群内のフラグ、あるいは任意のファイルを検出することにより、前記第２のデータ群の再生を行うことを可能とする。
【発明の効果】
【０００８】
本発明により、使い勝手を向上した記録方法、記録媒体、再生装置及び記録再生装置を提供できる。
【発明を実施するための最良の形態】
【０００９】
以下、図面を用いて本発明の実施形態について説明する。
【実施例１】
【００１０】
図１は本発明によるデータ記録方法において、光ディスク上にＤＶＤビデオフォーマットによるＳＤコンテンツと、他のフォーマットによるＨＤコンテンツが記録された状態を、模式的に表した図である。同図において、１００が光ディスク、１０１がＬｅａｄ−ｉｎ領域、１０２がＳＤコンテンツ領域、１０３がＨＤコンテンツ領域、１０４がＬｅａｄ−ｏｕｔ領域である。
【００１１】
光ディスク上では、基本的にディスクの内周から外周に向かってらせん状にデータは記録される。図１では同心円状に各記録領域を区切っているように示しているが、これは内周から外周に向かう一つのボリューム空間を、所定の領域ごとに記録内容を変えているということを意味している。
【００１２】
Ｌｅａｄ−ｉｎ領域１０１及びＬｅａｄ−ｏｕｔ領域１０４は、実データの物理的なアドレス管理のために必要な領域で、ディスクの最内周及び最外周に記録される。ＳＤコンテンツ領域１０１には、図２に示すようなＤＶＤビデオフォーマットに則ったＳＤコンテンツとその管理情報が記録される。図２はＳＤコンテンツ領域１０１に構成された記録データのディレクトリ構造を示したものであり、各データは所定のファイルシステム上で、個別のファイルとして扱われる。図２において、ルートディレクトリ２００の下にＤＶＤビデオフォーマット用のサブディレクトリ２０１が配置され、ＤＶＤビデオフォーマットとしての管理情報ファイルやＡＶデータファイルは全て該サブディレクトリ２０１の下に置かれている。ビデオマネージャ情報２０２は記録されたＡＶデータの再生のための統合的な管理情報が書かれており、例えば再生順序情報や、ＡＶデータの属性情報などが含まれる。ビデオマネージャメニュービデオオブジェクトセット（ビデオマネージャメニューＶＯＢＳ）２０３はＤＶＤプレーヤにおける再生のための統合的なメニュー表示をするためのＡＶデータファイルであり、後述のＡＶデータファイルと同様な形式のストリームデータとなっている。ビデオマネージャ情報バックアップ２０４はビデオマネージャ情報２０２と同一の内容が書かれており、ビデオマネージャ情報２０２が読み出せない場合などのバックアップに用いられる。ビデオタイトルセット情報２０５は、複数の単位毎に管理されるＡＶデータの情報が書かれており、ビデオタイトルセットメニューＶＯＢＳ２０６はＤＶＤプレーヤにおいて前記複数の単位毎のメニュー表示を行うためのＡＶデータが、後述のＡＶデータファイルと同様な形式のストリームデータとして書かれている。ビデオタイトルセットタイトルＶＯＢＳ２０７はメインのＳＤコンテンツとなるストリームデータであり、データサーチ情報なども合わせてＡＶデータとして多重化されている。ビデオタイトルセット情報バックアップ２０８はビデオタイトルセット情報２０５と同一の内容が書かれており、ビデオタイトルセット情報２０５が読み出せない場合などのバックアップに用いられる。
【００１３】
一方ＨＤコンテンツ領域１０３には、ＤＶＤビデオフォーマットとは異なるデータ形式により、前記ＳＤコンテンツ領域とは異なるファイルシステム上で、ＨＤコンテンツとその管理情報が記録される。ここではそのフォーマットに関し特に詳細は記さないが、少なくとも所定のフォーマットに則った形で、ＨＤコンテンツとその管理情報が記録されるものとする。
【００１４】
上記光ディスク１００を通常のＤＶＤプレーヤで再生した場合について以下説明する。ＤＶＤプレーヤは前記ＳＤコンテンツ領域１０２に含まれるＤＶＤビデオフォーマットに則ったデータのみを再生する。起動時には通常前記ビデオマネージャＶＯＢＳ２０３が初期再生プログラムとして指定されており、記録データの内容を示すメニュー画面が表示される。
【００１５】
図３は前記ビデオマネージャＶＯＢＳ２０３の一例、つまりメニュー画面の一例を示したものである。本実施例の場合、メニュー画面としては、当該ＤＶＤプレーヤでは再生できないコンテンツ、つまりＨＤコンテンツがディスク上に記録されていることだけを示唆する。この場合、メニュー画面以外の表示は行わないので、前記ビデオタイトルセットＶＯＢＳ２０７に相当する部分には有効な実データは含まれない。ここではディスク上のデータとして、あくまでもＨＤコンテンツがメインであるが、本実施例におけるデータ記録方法によりＳＤコンテンツも合わせて記録することにより、ユーザがＨＤコンテンツに対応していないプレーヤを使用した場合でも、ディスク上のＨＤコンテンツの存在を知ることが可能となり、ユーザの混乱を避けることが可能となる。
【実施例２】
【００１６】
図４は本発明によるデータ記録方法の第２の実施例を示す図である。基本的なデータ記録方法は前述の実施例１の場合と同様であるが、ビデオマネージャＶＯＢＳ２０３、つまりメニュー画面の内容が異なる。本実施例では、メニュー画面としてＨＤコンテンツの内容までを表示する。ビデオタイトルセットＶＯＢＳ２０７に相当する部分には有効な実データが含まれないのは前述の実施例１と同様である。本実施例によるデータ記録方法を適用することにより、ＤＶＤプレーヤとしてはＨＤコンテンツを再生することはできないが、メニュー画面の表示により、ユーザはＨＤコンテンツの内容までを認識することが可能となる。
【実施例３】
【００１７】
図５は本発明によるデータ記録方法の第３の実施例を示す図である。基本的なデータ記録方法は前述の実施例１及び実施例２と同様であるが、記録データの内容が異なる。図５において、ビデオマネージャＶＯＢＳ２０３、つまりメニュー画面として、通常の映画等と同様に各タイトルのサムネイルを表示する。ユーザは所望のタイトルを選択することが可能であり、各サムネイルへの決定に応じて、ビデオタイトルセットメニューＶＯＢＳ２０６、あるいはビデオタイトルセット２０７の相当する内容の再生を行う。ただしこれらのＳＤコンテンツの内容は、前記ＨＤコンテンツをダウンコンバートして、ＤＶＤプレーヤで視聴可能な形式として、ダイジェスト版等として記録されたものとする。つまりそれらは動画とは限らず、ＨＤコンテンツとして特長的なシーンを集めた静止画、いわゆるＭＰＥＧにおけるＩピクチャのみの連続とすることもできる。本実施例によるデータ記録方法を適用することにより、ＤＶＤプレーヤを使用したユーザはディスク上のＨＤコンテンツの存在を認識することが可能であり、ＨＤコンテンツに関連したダイジェスト版等のＳＤコンテンツも視聴することができる。
【実施例４】
【００１８】
次に本発明によるデータ記録方法、及び再生装置に関し、第４の実施例として以下図面を用いて説明する。
図６が本実施例によるデータ記録方法を示す図であり、基本的なデータ記録方法は前述の実施例１ないし実施例３の場合と同様である。本実施例で特徴的となるのは、図６に示すように前述のビデオマネージャ情報２０２に所定のフラグを追加することである。６０１はＤＶＤビデオフォーマットで規定されるビデオマネージャ情報２０２の内容の一例であり、ビデオマネージャ情報マネージメントテーブル（ＶＭＧＩ＿ＭＡＴ）、タイトルサーチポインタ（ＴＴ＿ＳＲＰＴ）、ビデオマネージャメニュープログラムチェーン情報ユニットテーブル（ＶＭＧＭ＿ＰＧＣＩ＿ＵＴ）、ビデオマネージャメニューセルアドレステーブル（ＶＭＧＭ＿Ｃ＿ＡＤＴ）、ビデオマネージャメニュービデオオブジェクトユニットアドレスマップ（ＶＭＧＭ＿ＶＯＢＵ＿ＡＤＭＡＰ）などから構成される。ここではＶＭＧＩ＿ＭＡＴの未使用フィールドの例えば１バイトを、判定用フラグ６０２として使用する。未使用フィールドは通常００ｈとすることになっているので、ディスク上にＤＶＤビデオフォーマットによるＳＤコンテンツ以外のＨＤコンテンツが含まれるのを示すために、例えば判定フラグ６０２を０１ｈとしておく。
【００１９】
ここで上述のようなデータ記録方法を用いた記録媒体を再生する再生装置に関し説明する。図７は本発明による再生装置の一例を示すブロック図であり、記録媒体に光ディスク用いた再生装置を示している。７００は記録再生装置、７０１は光ディスク、７０２はユーザＩ／Ｆ、７０３は制御部、７０４はメモリ、７０５はトラックバッファ、７０６はドライブ、７０７はピックアップ、７０８はデコーダ部、７０９は出力部である。
【００２０】
再生を開始する場合、ユーザは上述の記録方法により記録されたＳＤコンテンツとＨＤコンテンツが含まれる光ディスク７０１を再生装置７００に挿入し、リモコンあるいは再生装置本体キーにより、再生指示を行う。ただし、光ディスク７０１として初期動作が設定される場合は、特に再生指示を行う必要はない。ユーザＩ／Ｆ７０２を介して入力されたユーザの指示入力、あるいは設定された初期動作に応じて、制御部７０３は光ディスク７０１の再生を開始する。
【００２１】
例えば前述の判定フラグ６０２が設定されていない（００ｈ）場合、制御部７０３は光ディスク７０１上のデータを通常のＤＶＤビデオフォーマットによるデータと解釈して再生動作を行う。つまり動画などの再生を行う場合には、ドライブ７０６によりピックアップ７０７を介してストリームデータが光ディスク７０１のＳＤコンテンツ領域１０２内の任意のデータ位置から読み出され、一旦トラックバッファ７０５に蓄積される。ドライブ７０６の転送レートとストリームデータの符号化レートの差分が吸収されてトラックバッファ７０５からストリームデータは読み出され、デコーダ部７０８において画像データと音声データが分離及び復号されて、出力部７０９において適当な信号形式で出力される。
【００２２】
制御部７０３はメモリ７０４のプログラム領域から内容をロードすることにより前述の各部を制御するものであるが、再生動作としては前述のストリームデータの読み出しに先立ち、光ディスク７０１のＳＤコンテンツ領域１０２からビデオマネージャ情報２０２を始めとする管理情報がドライブ７０６により読み出され、その内容がメモリ７０４の所定領域に展開される。ユーザＩ／Ｆ７０２を介して入力された操作者の指示入力は全て制御部７０３により解釈され、メモリ７０４に展開された管理情報に則って前述の再生動作が行われる。
【００２３】
ここで前述の判定フラグ６０２が設定されていた（０１ｈ）場合、制御部７０３は光ディスク７０１上にＤＶＤビデオフォーマットとは異なるＨＤコンテンツが記録されているものと解釈して再生動作を行う。つまり制御部７０３は光ディスク７０１からのデータ読み出しを、ＨＤコンテンツ領域１０３から行うように制御し、ドライブ７０６で行われる再生信号処理やトラックバッファ７０５からの読み出し、デコーダ部７０８での復号動作等を、ファイルシステムの認識等含め、ＨＤコンテンツに応じた形式で再生動作を行うように制御する。
【００２４】
以上の動作フローに関し、図８を用いてより簡潔に説明する。再生動作を開始する（Ｓ８０１）と、前述のようにまずＤＶＤビデオフォーマットとしての管理情報を展開する（Ｓ８０２）。ここでＶＭＧＩ＿ＭＡＴ中の判定フラグがチェックされ（Ｓ８０３）、判定フラグが００ｈであればＤＶＤビデオフォーマットとして再生を行い（Ｓ８０５）、判定フラグが０１ｈであればＨＤコンテンツが含まれるものとして、それに応じたＨＤコンテンツの再生を行い（Ｓ８０４）、再生動作を終了する（Ｓ８０６）。
【００２５】
以上のように本実施例によれば、異なるフォーマットのデータが含まれるような光ディスクにおいて、初期起動時に読みに行くデータ内に所定のフラグを設定することにより、優先的に再生するデータを指定することができる。つまりＨＤコンテンツを再生可能な再生装置において、ＳＤコンテンツとＨＤコンテンツが含まれるような記録媒体を再生する場合に、自動的にＨＤコンテンツの再生を開始することが可能となる。
【実施例５】
【００２６】
次に本発明によるデータ記録方法、及び再生装置に関し、第５の実施例として以下図面を用いて説明する。
図９が本実施例によるデータ記録方法を示す図であり、基本的なデータ記録方法は前述の実施例１ないし実施例４の場合と同様である。本実施例で特徴的となるのは、図９に示すように判定用ファイル９０１を追加することである。判定用ファイル９０１の名称、ディレクトリ内の位置等は特に限定されるものではなく、判定用として識別できるものであれば問題はない。
ここで、このようなデータ記録方法を用いた記録媒体を再生する再生装置に関し説明する。  基本的な再生動作は前述の実施例４と同様であるため、ブロック図は図７を用い、詳細な動作説明に関しては省略する。
【００２７】
再生開始時において、制御部７０３はＳＤコンテンツ領域１０２のＤＶＤビデオフォーマットによる管理情報の展開に先立ち、前記判定用ファイル９０１の存在を確認する。判定用ファイル９０１が存在していた場合、制御部７０３は光ディスク７０１上にＤＶＤビデオフォーマットとは異なるＨＤコンテンツが記録されているものと解釈して再生動作を行う。つまり制御部７０３は光ディスク７０１からのデータ読み出しを、ＨＤコンテンツ領域１０３から行うように制御し、ドライブ７０６で行われる再生信号処理やトラックバッファ７０５からの読み出し、デコーダ部７０８での復号動作等を、ファイルシステムの認識等含め、ＨＤコンテンツに応じた形式で再生動作を行うように制御する。
【００２８】
この動作フローを図１０を用いて説明する。再生動作を開始する（Ｓ１００１）と、まず判定ファイル９０１の存在をチェックする（Ｓ１００２）。判定用ファイル９０１が存在しない場合、光ディスク７０１に記録されているのはＤＶＤビデオフォーマットとしての管理情報を展開し（Ｓ１００４）、ＤＶＤビデオフォーマットとして再生を行う（Ｓ１００５）。前記判定用フラグ９０１が存在した場合、光ディスク７０１にはＨＤコンテンツが含まれるものとして、それに応じたＨＤコンテンツの再生を行い（Ｓ１００３）、再生動作を終了する（Ｓ１００６）。
【００２９】
以上のように本実施例によれば、異なるフォーマットのデータが含まれるような光ディスクにおいて、初期起動時に判定用に用いる所定のファイルを記録することにより、実施例４の場合と同様に、優先的に再生するデータを指定することができる。つまりＨＤコンテンツを再生可能な再生装置において、ＳＤコンテンツとＨＤコンテンツが含まれるような記録媒体を再生する場合に、自動的にＨＤコンテンツの再生を開始することが可能となる。
【実施例６】
【００３０】
次に本発明による記録再生装置に関し、第６の実施例として以下図面を用いて説明する。
図１１は本実施例による記録再生装置の一例を示すブロック図であり、記録媒体に光ディスク用いた記録再生装置を示している。１１００は記録再生装置、１１０１は光ディスク、１１０２はユーザＩ／Ｆ、１１０３は制御部、１１０４はメモリ、１１０５はトラックバッファ、１１０６はドライブ、１１０７はピックアップ、１１０８はエンコーダ／デコーダ部、１１０９は入力部、１１１０は出力部である。なお再生時の動作に関しては、前述の実施例４ないし実施例５の場合と同様であるので、詳細な説明は省略する。
【００３１】
本実施例による記録再生装置の特徴は、図１に示すような光ディスクの所定領域に対して、ＳＤコンテンツとＨＤコンテンツという異なるフォーマットのデータを記録できることにある。以降入力部１１０９に対してＨＤコンテンツ用のデータが入力される場合について、記録時の動作を説明する。
【００３２】
入力部１１０９において入力された画像データおよび音声データは、エンコーダ／デコーダ部１１０８においてＨＤコンテンツ用の所定の符号化方式により符号化され、情報量が圧縮されると共に順次多重化される。多重化後のストリームデータは、符号化レートとドライブ１１０６の転送レートの差分を吸収するため、トラックバッファ１１０５に一旦蓄積され、所定の単位毎にドライブ１１０６により光ディスク１１０１のＨＤコンテンツ領域１０３に順次追記される。制御部１１０３はユーザＩ／Ｆ１１０２を介した操作者の指示入力に基づき前記各部の制御動作を行うものであり、制御内容についてはメモリ１１０４のプログラム領域の読み書きを行うことにより、適宜必要な内容がロードされる。また記録時には所定の管理情報がメモリ１１０４の所定領域に一旦展開されて、前記ストリームデータの記録と共に更新され、ストリームデータの記録終了（あるいは電源切断）時に、光ディスク１１０１のＨＤコンテンツ領域１０３に更新記録される。
【００３３】
次に光ディスク１１０１のＳＤコンテンツ領域１０２への記録について説明する。ユーザＩ／Ｆ１１０２を介した操作者の指示入力、あるいは記録再生装置が使用されていない時間を判断するなどして自動的に、制御部１１０３は光ディスク１１０１のＨＤコンテンツ領域１０３からのデータ読み出しを行う。読み出されたＨＤコンテンツは、エンコーダ／デコーダ部１１０８においてＳＤコンテンツへと再エンコードされ、ＨＤコンテンツの場合と同様にドライブ１１０６により光ディスク１１０１のＳＤコンテンツ領域１０２に記録される。またＳＤコンテンツ用の管理情報もメモリ１１０４内に展開された後、最終的に光ディスク１１０１のＳＤコンテンツ領域１０２に更新記録される。
【００３４】
図１２はこの場合のエンコーダ／デコーダ部１１０８の構成を具体的に示したものであり、１２０１が出力端子、１２０２が入力端子、１２０３がデコード回路、１２０４がダウンコンバート回路、１２０５がスイッチ、１２０６がエンコード回路、１２０７が入力端子、１２０８が出力端子である。
【００３５】
光ディスク１１０１から読み出されたＨＤコンテンツは、入力端子１２０２を介してデコード回路１１０８により所定の方式で復号され、ダウンコンバート回路１２０４においてＳＤコンテンツ用のデータにダウンコンバートされる。ダウンコンバートされたデータはスイッチ１２０５を介してエンコード回路１２０６に入力され、所定の符号化方式により符号化され、出力端子１２０１から出力される。デコード回路１１０８で復号された情報は、エンコード回路１２０６における符号化効率を向上させるため、その一部がエンコード回路１２０６に通知される場合がある。なおこれら各部の制御は、全て制御部１１０３の制御に基づいて行われる。
以上のように本実施例による記録再生装置の構成により、光ディスクの所定領域に対して、ＳＤコンテンツとＨＤコンテンツという異なるフォーマットのデータを記録することができる。
【実施例７】
【００３６】
次に本発明による記録再生装置に関し、第７の実施例として以下図面を用いて説明する。
図１２は本実施例による記録再生装置の一例を示すブロック図であり、実施例６と同様に記録媒体に光ディスク用いた記録再生装置を示している。１３０１は制御部、１３０２はエンコーダ部、１３０３はダウンコンバート回路である。なお図１１に重複する部分に関しては同一の符号を付して詳細な説明は省略する。
【００３７】
本実施例の特徴は、実施例６と同様に、図１に示すような光ディスクの所定領域に対して、ＳＤコンテンツとＨＤコンテンツという異なるフォーマットのデータを記録できることにあるが、その記録動作を両コンテンツに関し同時に行うということがさらなる特徴となる。以降実施例６と同様に、入力部１１０９に対してＨＤコンテンツ用のデータが入力される場合について、記録時の動作を説明する。
【００３８】
入力部１１０９から入力されたＨＤコンテンツ用のデータが、光ディスク１１０１のＨＤコンテンツ領域１０３に記録される動作に関しては前述と同様である。ここでは入力部１１０９から入力されたＨＤコンテンツ用のデータは、ダウンコンバート回路１３０３においてＳＤコンテンツ用のデータにダウンコンバートされる。ダウンコンバートされたデータはエンコーダ部１３０２において所定の符号化方式により符号化され、トラックバッファ１１０５を介してドライブ１１０６により光ディスク１１０１のＳＤコンテンツ領域１０２に記録される。またＳＤコンテンツ用の管理情報もメモリ１１０４内に展開された後、最終的に光ディスク１１０１のＳＤコンテンツ領域１０２に更新記録される。ＨＤコンテンツとＳＤコンテンツの並列記録は、トラックバッファ１１０５を用いて時分割に行われる。
【００３９】
以上のように本実施例による記録再生装置の構成により、光ディスクの所定領域に対して、ＳＤコンテンツとＨＤコンテンツという異なるフォーマットのデータを、同時並列に記録することが可能となる。
【００４０】
なお以上全ての実施例において、光ディスクの記録層が単層である場合について説明したが、多層であっても問題はなく、異なるフォーマットのデータを所定の領域に記録できるような構成であれば本発明は適用可能である。また以上の実施例において、ＳＤコンテンツとＨＤコンテンツに関してファイルシステムが異なる場合について説明したが、同一のファイルシステムによる記録を行っても特に問題はない。また実施例６及び実施例７において、ＳＤコンテンツはＨＤコンテンツと同様な内容で、解像度や記録フォーマットのみが異なる場合について述べたが、実施例１や実施例２に記載のデータ記録方法のように、ＳＤコンテンツの内容は、単にＨＤコンテンツの内容が類推できるようなものとして記録することも可能である。
【００４１】
以上の実施例によるデータ記録方法によれば、異なるフォーマットのデータが複数記録された場合でも、一方のデータから他方のデータの存在、あるいは記録内容を類推することが可能となる。つまり、例えばディスク上に第１のデータ群としてＤＶＤビデオフォーマットのＳＤコンテンツを記録し、第２のデータ群として第１のデータ群とはファイルシステムも異なるような、所定のフォーマットによるＨＤコンテンツのデータを記録するように構成する。既存のＤＶＤプレーヤは、前記第１のデータ群の再生機能しか持たないが、第１のデータ群の記録内容は第２のデータ群の記録内容を類推できるようなものとしているので、第１のデータ群（ＤＶＤビデオフォーマット）の再生を行った時点で、ユーザは第２のデータ群（ＨＤコンテンツ）の存在あるいは内容を認識することが可能となる。
【００４２】
また本発明による再生装置及び記録再生装置によれば、前記第１及び第２のデータ群のどちらも再生可能な機能を持つことになるが、前記例示したような構成のディスクを再生した場合、初期判定で前記第1のデータ群内のフラグ、あるいは任意のファイルを検出することにより、優先的に前記第２のデータ群の再生を行うことが可能となる。
【図面の簡単な説明】
【００４３】
【図１】本発明によるデータ記録方法でのディスク上の記録領域を示す模式図。
【図２】ＤＶＤビデオフォーマットでのファイル構成を示す図。
【図３】本発明の第１の実施形態による、メニュー表示の一例を示す図。
【図４】本発明の第２の実施形態による、メニュー表示の一例を示す図。
【図５】本発明の第３の実施形態による、メニュー表示の一例を示す図。
【図６】ＳＤコンテンツ内での判定用フラグ設定の一例を示す図。
【図７】本発明による再生装置のブロック図。
【図８】判定用フラグを用いた再生動作のフローを示す図。
【図９】ＳＤコンテンツ内での判定用ファイル設定の一例を示す図。
【図１０】判定用ファイルを用いた再生動作のフローを示す図。
【図１１】本発明による記録再生装置の一例を示すブロック図。
【図１２】エンコーダ／デコーダ部の構成を示す図。
【図１３】本発明による記録再生装置のその他の一例を示す図。
【符号の説明】
【００４４】
１００ … 光ディスク
１０１ … Ｌｅａｄ−ｉｎ領域
１０２ … ＳＤコンテンツ領域
１０３ … ＨＤコンテンツ領域
１０４ … Ｌｅａｄ−ｏｕｔ領域
２０２ … ビデオマネージャ情報
２０３ … ビデオマネージャメニューＶＯＢＳ
２０４ … ビデオマネージャ情報バックアップ
２０５ … ビデオタイトルセット情報
２０６ … ビデオタイトルセットメニューＶＯＢＳ
２０７ … ビデオタイトルセットタイトルＶＯＢＳ
２０８ … ビデオタイトルセット情報バックアップ
６０１ … ビデオマネージャ情報内容
６０２ … 判定フラグ
７００ … 再生装置
７０１、１１０１ … 光ディスク
７０２、１１０２ … ユーザＩ／Ｆ
７０３、１１０３、１３０１ … 制御部
７０４、１１０４ … メモリ
７０５、１１０５ … トラックバッファ
７０６、１１０６ … ドライブ
７０７、１１０７ … ピックアップ
７０８ … デコーダ部
７０９、１１１０ … 出力部
９０１ … 判定用ファイル
１１００ … 記録再生装置
１１０８ … エンコーダ／デコーダ部
１１０９ … 入力部
１２０１、１２０８ … 出力端子
１２０２、１２０７ … 入力端子
１２０３ … デコーダ回路
１２０４、１３０３ … ダウンコンバート回路
１２０５ … エンコード回路
１２０６ … スイッチ
１３０２ … エンコーダ部
【図１】
2007059011.tif 000003
【図２】
2007059011.tif 000004
【図３】
2007059011.tif 000005
【図４】
2007059011.tif 000006
【図５】
2007059011.tif 000007
【図６】
2007059011.tif 000008
【図７】
2007059011.tif 000009
【図８】
2007059011.tif 000010
【図９】
2007059011.tif 000011
【図１０】
2007059011.tif 000012
【図１１】
2007059011.tif 000013
【図１２】
2007059011.tif 000014
【図１３】
2007059011.tif 000015